(57)【要約】      （修正有）【課題】養殖池循環水渦巻気泡生成器の提供。【解決手段】養殖池循環水渦巻気泡生成器は、筒体の両端に、それぞれ、筒蓋とノズルを螺合してなる。筒体後端部の斜上方に進水管を垂直穿設し、進水管と筒体間は偏心設置である。筒蓋は筒体後端筒口に螺固され、上に、通気管を穿置し、内部に気室を形成する。また、前端は導気管を穿伸し、導気管はノズル内部に通じる。ノズルは、筒体前端筒口に螺合され、後端は導液口を設け、前端はノズル口を有し、ノズル口と導液口間に液体チャンネルを有し、且つ、導気管最前端の排気口は、液体チャンネルと導液口相接箇所に通抵する。【選択図】図１
0003125864.tif 000002
【実用新案登録請求の範囲】
【請求項１】
養殖池循環水渦巻気泡生成器であって、筒体の後端に筒蓋を、前端にノズルを螺合してなり、前記筒体の斜上方に進水管を垂直穿設し、前記筒蓋上方に通気管を穿置し、その特徴は、前記進水管と前記筒体間は偏心設置であり、前記筒蓋は密閉の中空体で、その内部に気室を形成し、その前端は導気管を穿伸し、前記ノズル後端は導液口を設け、前記導液口は、後に拡張した円錐状で、前端は、前に拡張したラッパ状のノズル口を有し、前記ノズル口と前記導液口間液体チャンネルを有し、前記液体チャンネルと前記導液口の相接箇所に、後ろ向きの拡張した引流口を有し、且つ、前記導気管前端は、前記引流口内に通抵し、
これにより、加圧後の循環水液を前記進水管から送入し、且つ、前記通気管の頂端は水面に露出し、循環水液は渦巻状に流動すると共に、前記導気管から空気を吸入して、養殖池中に排出し、水中に無数の小気泡を生成して、水中の雑物、たんぱく質を水面に浮かせて分離ろ過し、且つ、水中に含まれる酸素量を増加させることを特徴とする養殖池循環水渦巻気泡生成器。
【請求項２】
前記ノズルは旋動し、前記引流口と前記導気管間のギャップを調整し、循環水液の進水圧力の大きさにより、水圧力と流量を調整することを特徴とする請求項１に記載の養殖池循環水渦巻気泡生成器。
【請求項３】
前記ノズルのノズル口は、直管状でもよいことを特徴とする請求項１に記載の養殖池循環水渦巻気泡生成器。
【考案の詳細な説明】
【技術分野】
【０００１】
本考案は養殖池循環水渦巻気泡生成器に関し、詳細には、加圧後の循環水液を渦巻状にして排出し、無数の小気泡を生成して、効果的に水中の雑物、たんぱく質を分離ろ過し、且つ、水中に含まれる酸素量を増加させる養殖池循環水渦巻気泡生成器に関する。
【背景技術】
【０００２】
水質、及び、池中に含まれる酸素量は、水産養殖生存率を決定する重要な要素である。よって、水産養殖業者は、水質の制御と池中の酸素量を増加させて、水産物の生存率を向上させ、収穫を確保する。
【０００３】
現在、水産業者が、養殖池中の水質を制御するために、最もよく採る方法は、水源を不断に抽出し、水を交換する方式であり、池中の水を常に換水状態に保持して、水質が飼料や排泄物、雑物により汚染されないように、また、天気状況により変質しないようにする。更に、池中の酸素量を増加させるために、水車を使用する。或いは、池に管路を設置し、空気を注入して気泡を生成し、水中に溶入する。
【０００４】
上述の水質制御、及び、水中酸素量の増加方法は、管路の架設コストがかり、長時間にわたる運転が必要で、電力を消耗するので、業者にとって負担である。更に、水の交換による水質制御方式は、厳重な水資源の浪費であり、地下水を汲み取ることで、地盤沈下の恐れもある。
【考案の開示】
【考案が解決しようとする課題】
【０００５】
本考案は、養殖池循環水渦巻気泡生成器を提供し、加圧後の循環水液を渦巻状にして排出し、無数の小気泡を生成し、効果的に水中の雑物、たんぱく質を分離ろ過し、且つ、水中に含まれる酸素量を増加させ、コストが低く、節電で、水資源の浪費等を減少させることを目的とする。
【課題を解決するための手段】
【０００６】
本考案の養殖池循環水渦巻気泡生成器は、筒体の両端に、筒蓋、及び、ノズルを螺合組設してなる。筒体後端部の斜上方に進水管を垂直穿設し、進水管と筒体間は偏心設置である。筒蓋は筒体後端筒口箇所に螺固され、上に、通気管を穿置し、内部に気室を形成する。また、筒蓋の前端は導気管を穿伸し、導気管はノズル内部に通じる。ノズルは、筒体前端筒口の中心に螺合され、後端は導液口を設け、ノズル前端はノズル口を有し、ノズル口と導液口間に液体チャンネルを有し、且つ、導気管最前端の排気口は、引流口付近に通抵する。
【考案の効果】
【０００７】
本考案により、池中の雑物、たんぱく質を気泡と共に水面に浮き上がらせて、効果的に分離ろ過して、水質制御を達する。更に、小気泡を池水中に溶解させて、水中の酸素量を増加させて、水質制御と酸素含有量の増加の作用を達成する。この他、簡単な池水加圧抽水設備、及び、輸送管路を加装するだけで完成するので、設備投資コストが低く、また、効果的に節電でき、池水を重複循環使用できるので、水資源浪費を減少させる。
【考案を実施するための最良の形態】
【０００８】
図１、図２で示されるように、本考案の筒体（１）の両端は、それぞれ、筒蓋（２）、及び、ノズル（３）を螺合組設してなる。筒体（１）は、両端が貫通する円筒で、その後端部の斜上方に、進水管（１１）を垂直穿設し、進水管（１１）は筒体（１）の内部と相通し、且つ、その間は偏心設置であり、進水管（１１）を経て、筒体（１）内に注入される加圧循環水液は、筒壁内面を回流し、渦巻状に流動する。
【０００９】
筒蓋（２）は、密閉の中空蓋体で、且つ、筒体（１）後端筒口の中心位置に螺固され、その上方は、適当な長さの通気管（２１）を穿置する。通気管（２１）の底端は、筒体（２）の内部に穿伸し、外界の空気をその中で流通させて、気室を形成する。また、筒蓋（２）の前端は導気管（２２）を穿伸し、導気管（２２）は筒体（１）を穿経すると共に、ノズル（３）の内部に通じ、気室内に流入する空気を送出する。
【００１０】
ノズル（３）は、筒体（１）の前端筒口の中心箇所に螺合され、その後端は、後に拡張した円錐状の導液口（３１）を設け、導液口（３１）は、筒体（１）の内部と相通し、筒体（１）内に注入された加圧循環水液は、その中に流入する。また、ノズル（３）の前端は、前に拡張したラッパ状のノズル口（３２）を有し、ノズル口（３２）と導液口（３１）間に適当な口径の液体チャンネル（３３）を有し、且つ、液体チャンネル（３３）と導液口（３１）の相接箇所は、後に拡張する引流口（３３１）を有し、導気管（２２）最前端の排気口は、引流口（３３１）付近に通抵し、加圧後の循環水液は、引流口（３３１）、導気管（２２）、液体チャンネル（３３）間のギャップを流経して、加圧作用を生成し、更に、ノズル口（３２）から前に拡散排出する。循環水液の排出と同時に、真空吸力を生成し、導気管（２２）から空気を吸入し、循環水液中に混入し、養殖池内に排出する。養殖池中で、無数の小気泡を生成し（図３を参照）、ノズル（３）により、筒体（１）前端筒口内から旋出、旋入し、引流口（３３１）と導気管（２２）間のギャップを調整し、循環水液の進水圧力の大きさにより、水圧力を調整する（図２は、進水圧力が最小時の導気管と引流口、液体チャンネル間の相関位置である。進水圧力が大きい時、ノズルは適当に外に向けて旋出する）。
【００１１】
本考案は使用上、図３で示されるように、筒体（１）、筒蓋（２）、ノズル（３）を養殖池中に置き、進水管（１１）の頂端は輸送管（４）を組接して、加圧後の循環水液を筒体（１）内に送入し、且つ、通気管（２１）の頂端は水面に露出する。加圧後の循環水液を筒体（１）に注入後、筒壁内面で回流し、渦巻状に流動すると共に、ノズル（３）後端の引流口（３３１）、液体チャンネル（３３）と導気管（２２）間のギャップを経て、ノズル口（３２）から前に拡散排出される。循環水液が排出すると同時に、真空吸力を生成する。導気管（２２）が空気を吸入し、循環水液中に混入し、養殖池水中に排出し、水中に無数の小気泡を生成して、渦巻き流動の循環水液とともに、池水に攪動を起こして、池中の雑物、たんぱく質を気泡と共に水面に浮き上がらせて、効果的に分離ろ過する。更に、小気泡を池水中に溶解させて、水中の酸素量を増加させて、水質制御と酸素含有量の増加の作用を達成する。
【００１２】
本考案は、加圧後の循環水液が、偏心装置の進水管（１１）により筒体（１）内に引入し、渦巻状に流動してノズル（３）後端の導液口（３１）内に進入し、引流口（３３１）、液体チャンネル（３３）と導気管（２２）間のギャップを経て、ノズル（３）前端のノズル口（３２）により拡散排出され、排出と同時に、導気管（２２）が空気を吸入し、養殖池水中に無数の小気泡を生成して、池中の雑物、たんぱく質を気泡と共に水面に浮き上がらせて、効果的に分離ろ過する。更に、小気泡を池水中に溶解させて、水中の酸素量を増加させて、水質制御と酸素含有量の増加の作用を達成する。この他、本考案は、簡単な池水加圧抽水設備、及び、輸送管路を加装するだけで完成するので、投資コストが低く、また、効果的に節電でき、池水を重複循環使用できるので、水資源浪費を減少させる。
【００１３】
更に、本考案は、循環水液の進水圧力の大きさにより、ノズル（３）と筒体（１）間の螺合深さを利用して、引流口（３３１）、導気管（２２）と液体チャンネル（３３）間のギャップを調整し、循環水液の出水圧力と流量を調整して、各種用途上の要求に符合する。また、ノズル（３）前端のノズル口（３２）は、ラッパ状以外に、直管状やその他の形状にもでき、その長さは、状況に応じて伸ばしたり短縮したりできる。他に、通気管（２１）の頂端管口箇所に、直接、酸素やその他の気体を導入して、各種水産物の需要に適合させることもできる。
【図面の簡単な説明】
【００１４】
【図１】本考案の立体外観図である。
【図２】本考案の全体構造の断面図である。
【図３】本考案の使用状態図である。
【符号の説明】
【００１５】
１  筒体
１１進水管
２  筒蓋
２１通気管
２２導気管
３  ノズル      
３２ノズル口
３３液体チャンネル        
【図１】
0003125864.tif 000003
【図２】
0003125864.tif 000004
【図３】
0003125864.tif 000005